(57)【特許請求の範囲】
【請求項１】
高さのあるトウスプリングが設けられた靴底と、つま先部分から履き口および外甲のサイドにかけてを覆う第１の部材と、第１の部材に継がれ、外甲のサイドから踵にかけてを覆う第２の部材とから構成される甲皮と、第１の部材を甲ラインにフィットするように締着する位置に取り付けられたベルトを備え、甲皮をソフトで通気性のある布材で構成し軽量化した靴であって、
片足が患足用であり、片足が該患足用と同一素材、同一デザインの健足用であり、
患足用の靴底をヒールのないフラット底とし、
患足用の甲皮に装具の使用や足部の変形にも対応できる高さのトウボックスを設け、
患足用の甲皮を構成する第１の部材と第２の部材の継ぎ目の終端をボールラインのつまさき側近傍に設け、継ぎ目の終端から履き口側にある第１の部材を折り返して履き口を形成することができることを特徴とする患足、健足それぞれ片足ずつ選べる靴。
【請求項２】
健足用の片足はヒールに高さを持たせている請求項１の患足、健足それぞれ片足ずつ選べる靴。
【請求項３】
トウスプリングは１．５〜２．０ｃｍの高さである請求項１または２に記載の患足、健足それぞれ片足ずつ選べる靴。
【請求項４】
ベルトが、角カンを使用している請求項１ないし３のいずれかの患足、健足それぞれ片足ずつ選べる靴。
【請求項５】
ベルトの先端に指またはリーチャーで利用することができるループを設けている請求項１ないし４のいずれかの患足、健足それぞれ片足ずつ選べる靴。
【請求項６】
同じ布材を使用したヒールループを設けている請求項１ないし５のいずれかの患足、健足それぞれ片足ずつ選べる靴。
【請求項７】
靴底は滑り止め効果をもたせた滑り止め底である請求項１ないし６の患足、健足それぞれ片足ずつ選べる靴。
【請求項８】
ベルトにより甲の上部と外甲のサイドの２箇所を締着する請求項１ないし７のいずれかの患足、健足それぞれ片足ずつ選べる靴。
【発明の詳細な説明】
【０００１】
【産業の属する技術分野】
本発明は、ソフトで通気性のある布材を使用し軽量化したベルト付きのものであって、必要に応じて左右別サイズあるいは、患足、健足それぞれ片足ずつの対応ができるようにした靴に関する。
【０００２】
【従来の技術】
補装具等の装着や、リューマチ等で、足趾に変形があり、市販されている靴が着用困難な方々が多数おられる。そのような方々が、外見だけでも見栄え良くしたいと考えると、片方だけのためにサイズ寸法の大きな靴を一足別に購入せざるを得ないのが現状である。健康・介護用商品におしゃれ心を求める豊かさが浸透しつつあり、左右別サイズで選べる履物においても、今後さらに種類、デザインなどの豊富化が求められている。
【０００３】
【発明が解決しようとする課題】
本発明、前記した従来の問題点を解消しようとするものであって、その目的とするところは、シューホン等の補装具や治療用足底板等を装着している方々や、また、リウマチ等で足趾に変形があり、市販の靴を履くことができない方々のために、しかも必要に応じて患足、健足それぞれ片足ずつの対応ができるようにした靴の提供にある。すなわち、本発明は、寸法の短い足とか異るサイズ寸法や異る足甲部の高さであっても、バンドが甲部へ確実に密着し馴染んで、歩行時、容易に脱げることなく軽快に歩行できることを特徴としたきわめて履き心地良好な布製の靴の提供を目的とする。
【０００４】
【課題を解決するための手段】
本発明は、ソフトで通気性のある布材を使用し軽量化したベルト付き靴であって、靴底はヒールのないフラット底とし、また滑り止め効果をもたせた滑り止め底であり、踵は足底板や装具の使用に対応できるよう十分な甲皮の深さがあり、トウボックスは装具使用や足部の変形にも対応できるよう十分な高さがあり、十分な高さのあるトウスプリングを有し、甲皮の継ぎ目は甲皮を折り返すと大きな履き口を形成するようにボールラインよりもつまさき側に設けられ、前記ベルトは甲部分にしっかりと止まり甲ラインにフィットするように取り付けられていることを特徴とする靴。
上記のトウスプリングは１．５〜２．０ｃｍつけてあり、したがって本発明は、ソフトで通気性のある布材を使用し軽量化したベルト付き靴であって、靴底はヒールがなくフラット底であり、また滑り止め効果をもたせた滑り止め底であり、踵は足底板や装具の使用に対応できるよう十分な甲皮の深さがあり、トウボックスは装具使用や足部の変形にも対応できるよう十分な高さがあり、１．５〜２．０ｃｍのトウスプリングがつけてあり、甲皮の継ぎ目は甲皮を折り返すと大きな履き口を形成するようにボールラインよりもつまさき側に設けられ、前記ベルトは甲部分にしっかりと止まり甲ラインにフィットするように取り付けられていることを特徴とする靴を要旨としている。
【０００５】
上記のカウンターは遠位に長く、十分な大きさと硬さの月形芯を入れて、外反傾向を安定させ、踵をしっかりと固定しており、したがって本発明は、ソフトで通気性のある布材を使用し軽量化したベルト付き靴であって、靴底はヒールがなくフラット底とし、また滑り止め効果をもたせた滑り止め底であり、踵は足底板や補装具の使用に対応できるよう十分な甲皮の深さがあり、カウンターは遠位に長く、十分な大きさと硬さの月形芯を入れて、外反傾向を安定させ、踵をしっかりと固定しており、トウボックスは装具使用や足趾の変形にも対応できるよう十分な高さがあり、トウスプリングが十分にあり、好ましくは１．５〜２．０ｃｍのトウスプリングがつけてあり、甲皮の継ぎ目は甲皮を折り返すと大きな履き口を形成するようにボールラインよりもつまさき側に設けられ、前記ベルトは甲部分にしっかりと止まり甲ラインにフィットするように取り付けられていることを特徴とする靴を要旨としている。
【０００６】
上記ベルトは角カンを使用していることを特徴としている。また、上記ベルトはその先端に指またはリーチャーで利用することができるループを設けていることを特徴としている。さらにまた、同じ布材を使用した大きなヒールループを設けていることを特徴としている。
【０００７】
本発明は、上記の靴を患足用の片足とし、該患足用片足と同一素材、同一デザインの健足用の片足を組み合わせた靴を要旨としている。その場合、健足用の片足はヒールに高さをもたせている。
【０００８】
【発明の実施の形態】
《素材》
甲材は、ソフトで通気性のある布材を使用し、軽量化している。
ベルト、ヒールループなどの素材も甲材と同じ布材を使用することができる。ベルトは角カンを使用する。角カンは金属製が好ましい。ベルトは簡易止着手段を用いて、甲部分にしっかりと止める。簡易止着手段は、多数のループ群部材と、フック群部材とより構成されている市販品を好ましい態様とする。前記ループ群部材は、基板の表面に軟質で多数のループ群を植設したものであり、フック群部材は、基板の表面に硬質で多数のフック群を突設したものである。上記のループ群部材をベルトの裏面に、フック群部材を例えば甲の上部と外甲のサイドの２ケ所に縫着することによりベルトが甲部分にしっかりと止まりフィットする。上記のループ群部材をベルトの裏面のほぼ全面に長めに縫着することにより甲部対応性を大きくすることができる。
アウトソールの前端部任意箇所には、ウエットセンサー機能を有する特殊なゴムを使用することにより、適切なすべり止め効果を得て歩行時の安全性を高めている。
【０００９】
《使用態様の説明》
前記本発明に係るソフトで通気性のある布材を使用し軽量化したベルト付き靴を使用して歩行する場合は、ベルトを解放し、甲皮を折り返して大きな履き口をつくる。ベルトは角カンを使用しており、はずした時に、逆もどりを防ぐことができる。大きな履き口に足を挿入してから、ベルトを着ける角度を甲部に沿わして調整して（これも角カンの機能である。）、甲ラインにフィットさせた状態でベルトを合わせ簡易止着手段で止める。あるいは、ベルトを仮止めした状態で、例えばヒールループを使って足を挿入してから、ベルトの先端ループに指を入れてベルトをはずし締め直す。甲の上部と外甲のサイドの２ケ所の簡易止着手段により、ベルトが甲部分にしっかりと止まりフィットする。これによってベルトが足甲部に確実に馴染むので、歩行中にかかとの脱げとか、緩くて履き心地が悪くなることはなく、軽快に歩行できる。靴底はヒールのないフラット底であり、また滑り止め効果をもたせた滑り止め底であり、適切な滑り止め効果を得て歩行時の安全性を高めている。
【００１０】
【実施例】
本願発明の詳細を実施例で説明する。本願発明はこれら実施例によって何ら限定されるものではない。
【００１１】
実施例
《材質》
甲材：ソフトで通気性のある布材。
底材：全体はＥＶＡ素材、アウトソールは前端部に、ウエットセンサー機能を有する特殊なゴム。
【００１２】
《特長》
発明に係る履物の実施例を図１〜図７に基づいて説明する。
図１に示す履物は、カウンターが遠位に長く、十分な大きさと硬さの月形芯を入れた構造、トウボックスが、補装具使用や足趾の変形にも対応できるよう十分な高さがある構造、およびトウスプリングが十分ある構造を示す本発明に係る履物の斜視図である。
図２に示す履物は、踵には、足底板や装具の使用に対応できるよう十分な甲皮の深さがある構造を示す本発明に係る履物の斜視図である。
図３に示す履物は、ヒールがなくフラット底である本発明に係る履物の斜視図である。
図４に示す履物は、片足は患足、片足は健足の靴が必要な場合の本発明に係る発明の健足用の片足の斜視図である。
図５に示す履物は、甲部を折り返すと履き口が大きく開くようにしている本発明に係る履物の斜視図である。
図６に示す履物は、ベルトをはずしている時ベルトの逆戻りのない、またベルトが甲部分にしっかりと止まりフィットする構造の本発明に係る履物の斜視図である。
図７に示す履物は、本発明に係る履物の滑り止め底を示す底面図である。
【００１３】
１）図１に示すように、カウンターは遠位に長く、十分な大きさと硬さの月形芯を入れている。これにより、外反傾向を安定させ、踵をしっかりと固定している。
２）図２に示すように、踵には、足底板や装具の使用に対応できるよう十分な甲皮の深さがある。
３）図１に示すように、トウボックスは、補装具使用や足趾の変形にも対応できるよう十分な高さがあるように構成している。
４）図１に示すように、トウスプリングが十分（１．５〜２．０ｃｍ）あるように構成する。この構成に基づき歩行時つまづきにくく、安全性を高めることができる。
５）図３に示すように、ヒールがなくフラット底である（ヒールの高さ０ｃｍ）。
６）ソフトで通気性のよい布材を使用し、非常に軽量である。
７）片足は患足、片足は健足の靴が必要な場合には、それぞれに合った靴を片方ずつ対応できる様に、図４に示すように、患足用と同素材、同デザインで健足用の片足を用意している。従来のものより幅広で、ゆったりと製作している。ただし、健足用はヒールに高さを持たせている。
８）図５に示すように、甲皮の継ぎ目はボールライン(ball line)よりも、つまさき側に設けている。装具を装着した方でも足入れが容易にできるように、甲部を折り返すと履き口が大きく開くようにしている。
９）図６に示すように、角カンを使用することにより、ベルトを着ける角度を甲部に沿わして調整することができ、甲ラインにフィットする。また、ベルトをはずしている時、ベルトの逆もどりをふせぐ機能を有している。
１０）図６に示すように、ベルトの裏面の任意箇所の面ファスナなどの簡易止着手段と接着できる面ファスナなどの簡易止着手段を、甲の上部と外甲のサイドの２ケ所に設ける。この構成に基づき、ベルトが甲部分にしっかりと止まりフィットする。
１１）図２に示すように、ベルトの先端に指または、リーチャーで利用することができるループを設け、それによってベルトの着脱が容易にできる。
１２）図５に示すように、ヒールループを同素材を使用して大きく作り、それを利用することによって、履く時の動作が容易にできるようにしている。
１３）図７に示すように、アウトソール前端部には、ウエットセンサー機能を有する特殊なゴムを使用し、適切な滑り止め効果を得て歩行時の安全性を高めている。全体には、ＥＶＡ素材を使用している。
１４）図７に示すように、靴底面に溝を入れた構造となっており、これにより、雨水（水）を逃す構造となっている。
【００１４】
【発明の効果】
シューホン等の補装具や治療用足底板等を装着している足や、また、リウマチ等で足部の変形があり、市販の靴を履くことが出来ない足のために、しかも必要に応じて患足、健足それぞれ片足ずつの対応ができるようにした靴を提供することができる。
【図面の簡単な説明】
【図１】カウンターが遠位に長く、十分な大きさと硬さの月形芯を入れた構造、トウボックスが、補装具使用や足趾の変形にも対応できるよう十分な高さがある構造、およびトウスプリングが十分ある構造を示す本発明に係る履物の斜視図である。
【図２】踵には、足底板や装具の使用に対応できるよう十分な甲皮の深さがある構造を示す本発明に係る履物の斜視図である。
【図３】ヒールがなくフラット底である本発明に係る履物の斜視図である。
【図４】片足は患足、片足は健足の靴が必要な場合の本発明に係る発明の健足用の片足の斜視図である。
【図５】甲部を折り返すと履き口が大きく開くようにしている本発明に係る履物の斜視図である。
【図６】ベルトをはずしている時ベルトの逆戻りのない、またベルトが甲部分にしっかりと止まりフィットする構造の本発明に係る履物の斜視図である。
【図７】本発明に係る履物の滑り止め底を示す底面図である。
【図１】
0004294766.tif 000002
【図２】
0004294766.tif 000003
【図３】
0004294766.tif 000004
【図４】
0004294766.tif 000005
【図５】
0004294766.tif 000006
【図６】
0004294766.tif 000007
【図７】
0004294766.tif 000008